(57)【要約】【課題】剥がし易いラベルシートを提供すること。【解決手段】ラベルシート１は、剥離シート２と、この剥離シート２に貼着されるラベル形成シート３とを備える。また、ラベル形成シート１には、複数のラベル３３を連続して区画形成する第一切込スリット３１（３１ａ，３１ｂ）と、この第一切込スリット３１からラベル形成シート３の縁部３ａ〜３ｄ側へ延設される第二切込スリット３２（３２ａ，３２ｂ）とが形成される。【選択図】図１
2020095204.tif 000002
【特許請求の範囲】
【請求項１】
剥離シートと、
前記剥離シートに貼着されるラベル形成シートと、
を備え、
前記ラベル形成シートには、複数のラベルを連続して区画形成する第一切込スリットと、前記第一切込スリットから前記ラベル形成シートの縁部側へ延設される第二切込スリットとが形成される、
ことを特徴とするラベルシート。
【請求項２】
前記ラベルは矩形状に形成され、
前記第二切込スリットは、前記第一切込スリットのうち、前記ラベルの角部の頂部に対応する位置から延設される、
ことを特徴とする請求項１に記載のラベルシート。
【請求項３】
前記第一切込スリットは、前記ラベルの角部がＲ面取りされた矩形状となるように曲線部を含み、
前記第二切込スリットは、前記第一切込スリットの直線部と前記曲線部との接続部から延設される、
ことを特徴とする請求項１に記載のラベルシート。
【請求項４】
前記ラベルは矩形状に形成され、
前記第二切込スリットは、前記第一切込スリットのうち、前記ラベルの角部間に対応する位置から延設される、
ことを特徴とする請求項１に記載のラベルシート。
【請求項５】
前記ラベルは、行及び列を成すように配置され、
前記第二切込スリットは、前記第二切込スリットと接続する前記第一切込スリットに対して直角となるように、上下方向又は左右方向に形成される、
ことを特徴とする請求項１乃至請求項４の何れかに記載のラベルシート。
【請求項６】
前記第二切込スリットは、各前記ラベルに隣接する前記第一切込スリットのうち、前記第一切込スリットの前記縁部との距離が短くなる位置と接続されることを特徴とする請求項１乃至請求項５の何れかに記載のラベルシート。
【発明の詳細な説明】
【技術分野】
【０００１】
本発明は、ラベルシートに関する。
【背景技術】
【０００２】
従来から、一方面側に印刷等による表示が可能な情報表示面が形成され、他方面側に粘着層が形成されたラベルが提案されている。このようなラベルは、剥離シート上に複数枚配置された略矩形状の単位ラベルとして形成され、この単位ラベルを使用時に剥離シートから剥がして使用される。
【０００３】
例えば、特許文献１のラベルシートでは、切れ目により形成された単位ラベルの一部が、連結部により相互に連結されて、この連結部が一の単位ラベルを剥離シートから剥がし取る際に、隣り合う単位ラベルの角部が浮き上がった状態となった後に切断される強度となるように設定されている。そのため、単位ラベルを剥がし易いものとしている。
【先行技術文献】
【特許文献】
【０００４】
【特許文献１】特開２００６−１８９５７７号公報
【発明の概要】
【発明が解決しようとする課題】
【０００５】
しかしながら、ラベルシートの使い始め等の場面で、剥がそうとする単位ラベルが、他の単位ラベルや余白部と隣接配置されていると、単位ラベルを摘まむきっかけがなく剥がすことが困難な場合が有る。
【０００６】
本発明は、以上の点に鑑み、剥がし易いラベルシートを提供することを目的とする。
【課題を解決するための手段】
【０００７】
本発明に係るラベルシートは、剥離シートと、前記剥離シートに貼着されるラベル形成シートと、を備え、前記ラベル形成シートには、複数のラベルを連続して区画形成する第一切込スリットと、前記第一切込スリットから前記ラベル形成シートの縁部側へ延設される第二切込スリットとが形成される、ことを特徴とする。
【発明の効果】
【０００８】
本発明によれば、剥がし易いラベルシートを提供することができる。
【図面の簡単な説明】
【０００９】
【図１】本発明の実施形態１に係るラベルシートの平面図である。
【図２】本発明の実施形態１に係る図１に示したラベルシートの右側の縁部周辺を拡大したＩＩ−ＩＩ断面図である。
【図３】本発明の実施形態２に係るラベルシートの平面図である。
【図４】本発明の実施形態３に係るラベルシートの平面図である。
【発明を実施するための形態】
【００１０】
（実施形態１）
以下、本発明の実施形態１について図面を用いて説明する。図１はラベルシート１の平面図である。また、図２は図１のラベルシート１の右側の縁部３ａ周辺を拡大したＩＩ−ＩＩ断面図である。ラベルシート１は、Ａ４サイズやＢ５サイズ等の規格により定められた外形形状とすることができ、本実施形態では長矩形状に形成される。ラベルシート１は、剥離シート２と、この剥離シート２上に貼着されるラベル形成シート３とを有する（図２も参照）。ラベル形成シート３の裏面側には粘着層３０１が形成される。ラベル形成シート３は、粘着層３０１によって剥離シート２に対して貼着される。ラベル形成シート３のラベル３３には、インクによる印刷、熱転写又は筆記等により文字等の表示を固定させることができる。
【００１１】
ラベル形成シート３には、複数のラベル３３を形成する第一切込スリット３１と、第一切込スリット３１からラベル形成シート３の縁部３ａ〜３ｄ側へ延設される第二切込スリット３２とが形成される。第一切込スリット３１は、上下方向に形成される第一切込スリット３１ａと、左右方向に形成される第一切込スリット３１ｂとにより、矩形状の複数のラベル３３を行及び列を成すように連続して区画形成する。本実施形態では、上下方向に延設される第一切込スリット３１ａが３本設けられ、左右方向に延設される第一切込スリット３１ｂが７本設けられるため、２行６列の合計１２枚のラベル３３が一つの島状に隣接して形成される。各ラベル３３は横長の長方形状に形成される。
【００１２】
また、複数のラベル３３の外周には、余白部３４が配置される。余白部３４は、縁部３ａ〜３ｄと隣接して、上下方向に長尺な矩形環状に形成される。また、余白部３４は、周方向に亘って上下方向に延設される第二切込スリット３２ａ又は左右方向に延設される第二切込スリット３２ｂによって区画されている。
【００１３】
上下方向の第一切込スリット３１ａは第二切込スリット３２ａと直線状に連続して接続される。また、左右方向の第一切込スリット３１ｂは第二切込スリット３２ｂと直線状に連続して接続される。したがって、第二切込スリット３２ａ，３２ｂは、各ラベル３３の角部３３１の頂部に対応する位置から縁部３ａ〜３ｄ方向へ放射状に延設される。換言すれば、上下方向の第二切込スリット３２ａは、縁部３ｂ側又は縁部３ｄ側のラベル３３の外縁３３ｂ，３３ｄを形成する左右方向の第一切込スリット３１ｂに対して直角となるように接続される。また、左右方向の第二切込スリット３２ｂは、縁部３ａ側又は縁部３ｃ側のラベル３３の外縁３３ａ，３３ｃを形成する上下方向の第一切込スリット３１ａに対して直角となるように接続される。
【００１４】
本実施形態の第一切込スリット３１ａ，３１ｂと第二切込スリット３２ａ，３２ｂは、ラベルシート１に対してハーフカットされて切り込み深さが同じとなるように形成される。よって、剥離シート２側には切込スリットが形成されない構成となる（図２も参照）。
【００１５】
以上のようなラベルシート１の構成により、例えば、右側に形成された一つの第二切込スリット３２ｂの上下を摘まんで余白部３４を山折りすると、第二切込スリット３２ｂと直線状に連設される第一切込スリット３１ｂの裏側の剥離シート２も余白部３４の折り曲げに倣って山折りされる。すると、山折りされた剥離シート２に接するラベル３３の角部３３１を剥離シート２から浮き上がらせることができる。したがって、この角部３３１をきっかけにしてラベル３３を摘まみ上げ、ラベル３３を剥離シート２から容易に剥離することができる。
【００１６】
本実施形態では、ラベルシート１に形成された全てのラベル３３に対して上下方向又は左右方向の第二切込スリット３２ａ，３２ｂを隣接させたため、いずれのラベル３３も角部３３１を浮かせて容易に剥がすことができる。
【００１７】
また、剥離シート２側には切込スリットを設けない構成としたため、ラベルシート１は、一部のラベル３３を使用した場合でもきれいに保管しておくことができる。
【００１８】
（実施形態２）
次に実施形態２について説明する。図３は、本実施形態のラベルシート１Ａの平面図である。ラベルシート１Ａには、実施形態１のラベル３３と異なる形状のラベル３３Ａが形成される。
【００１９】
ラベル形成シート３Ａには、複数のラベル３３Ａを形成する第一切込スリット３１Ａと、第一切込スリット３１Ａからラベル形成シート３Ａの縁部３ａ〜３ｄ側へ延設される第二切込スリット３２Ａとが形成される。第一切込スリット３１Ａは、上下方向に延設される第一切込スリット３１Ａａと、左右方向に延設される第一切込スリット３１Ａｂとにより、矩形状の複数のラベル３３Ａを行及び列を成すように区画形成している。列方向のラベル３３Ａは隣接するように連続して配置されており、行方向のラベル３３Ａは縁部３ａ〜３ｄと隣接していない内側余白部３５を隔てて配置される。本実施形態では、２行６列の合計１２枚のラベル３３が形成される。
【００２０】
第一切込スリット３１Ａは、ラベル３３Ａ側に窪んだ曲線部３１Ａ２を含む。各ラベル３３Ａは、横長の長矩形状となるように形成され、曲線部３１Ａ２を含む第一切込スリット３１Ａにより、四隅に位置する各角部３３Ａ１が角丸状にＲ面取りされている。第一切込スリット３１Ａａと第一切込スリット３１Ａｂは、曲線部３１Ａ２を介して接続される（Ａ部拡大図も参照）。
【００２１】
第二切込スリット３２Ａは、第一切込スリット３１Ａの直線部３１Ａ１と曲線部３１Ａ２との縁部３ａ〜３ｄ側の接続部３１Ａ３から延設される。また、第二切込スリット３２Ａは、第一切込スリット３１Ａの直線部３１Ａ１に対して略直角に接続される。
【００２２】
第二切込スリット３２Ａは、ラベル形成シート３Ａの縁部３ａ，３ｃ側に設けられた上下方向の第一切込スリット３１Ａａと、縁部３ｂ，３ｄ側に設けられた左右方向の第一切込スリット３１Ａｂと接続されて全体として放射状に配置される。また、第二切込スリット３２Ａは、ラベル３３Ａの角部３３Ａ１を形成する曲線部３１Ａ２のうち縁部３ａ〜３ｄとの距離が短くなる位置から連設される。本実施形態では、各縁部３ｂ，３ｄ側には４本の第二切込スリット３２Ａａが形成され、各縁部３ａ，３ｃ側には１２本の第二切込スリット３２Ａｂが形成される。
【００２３】
なお、第二切込スリット３２Ａは、図３に示すように内側余白部３５には設けないように構成することができる。
【００２４】
以上のラベルシート１Ａの構成により、例えば、右側に形成された一つの第二切込スリット３２Ａｂの上下を摘まんで余白部３４を山折りすると、第二切込スリット３２Ａｂと曲線部３１Ａ２を介して連設される第一切込スリット３１Ａｂの裏側の剥離シート２も余白部３４の折り曲げに倣って山折りされる。すると、山折りされた剥離シート２に接するラベル３３Ａの角部３３Ａ１を剥離シート２から浮き上がらせることができる。したがって、この角部３３Ａ１をきっかけにしてラベル３３Ａを摘まみ上げ、ラベル３３Ａを剥離シート２から容易に剥離することができる。
【００２５】
本実施形態においても、ラベルシート１Ａに形成された全てのラベル３３Ａに対して上下方向又は左右方向の第二切込スリット３２Ａａ，３２Ａｂを隣接させたため、いずれのラベル３３Ａも角部３３Ａ１を浮かせて容易に剥がすことができる。
【００２６】
（実施形態３）
次に実施形態３について説明する。図４は、本実施形態のラベルシート１Ｂの平面図である。ラベルシート１Ｂは、実施形態１の第二切込スリット３２と異なる位置に設けた第二切込スリット３２Ｂを有する。なお、第一切込スリット３１及びラベル３３の構成は、実施形態１と同様である。
【００２７】
本実施形態の第二切込スリット３２Ｂは、ラベル３３の縁部３ａ〜３ｄ側の両角部３３１間に対応する位置から、第一切込スリット３１と略直角に接続される。また、図４のラベル３３は、２行６列に形成される。したがって、行方向に配置されるラベル３３の数は２枚であるとともに、行方向に配置される第二切込スリット３２Ｂａの数も上下の各縁部２ｂ，２ｄ側においてそれぞれ２本となる。また、列方向に配置されるラベル３３の数は６枚であるとともに、列方向に配置される第二切込スリット３２Ｂｂの数も左右の各縁部２ａ，２ｃ側においてそれぞれ６本となる。また、図４では、第二切込スリット３２Ｂと第一切込スリット３１との接続部が、ラベル３３の両角部３３１の中点位置に配置されている。
【００２８】
以上のようなラベルシート１Ｂを構成すると、例えば、右側に形成された一つの第二切込スリット３２Ｂｂの上下を摘まんで余白部３４を山折りすると、ラベル３３の裏面側に位置する剥離シート２を、山折りした第二切込スリット３２Ｂｂの略延長線上に倣って山折りさせることができる。すると、摘まんだ第二切込スリット３２Ｂｂ側に位置するラベル３３の角部３３１を剥離シート２から剥離して浮き上がらせることができる。したがって、浮き上がった角部３３１をきっかけにしてラベル３３を摘まみ上げ、ラベル３３を剥離シート２から容易に剥離することができる。
【００２９】
本実施形態では、第二切込スリット３２Ｂを実施形態１よりも少なくしながら、いずれのラベル３３も角部３３１を浮かせて剥がし易くすることができる。
【００３０】
また、各実施形態で示した第二切込スリット３２，３２Ａ，３２Ｂは、各ラベル３３，３３Ａに隣接する第一切込スリット３１，３１Ａのうち、第一切込スリット３１，３１Ａと縁部３ａ〜３ｄとの距離が短くなる位置に接続される構成としたため、剥離シート２をラベル３３，３３Ａの端部に相当する位置から折り曲げて、角部３３１，３３Ａ１を容易に浮き上がらせることができる。
【００３１】
以上、本発明の実施形態１〜３を説明したが、本発明は各実施形態によって限定されることなく、種々の形態で実施することができる。例えば、第二切込スリット３２，３２Ａ，３２Ｂは、直線状のスリットとしたが、破線状或いはミシン目状に形成してもよい。
【００３２】
また、第二切込スリット３２，３２Ａ，３２Ｂは、ラベル形成シート３，３Ａ，３Ｂの縁部３ａ〜３ｄ側へ延設されていれば、縁部３ａ〜３ｄと接続されていなくてもよい。
【００３３】
また、図１〜図４に示したラベル形成シート３，３Ａ，３Ｂの他に、余白部を上下の縁部３ｂ，３ｄ側のみに設けたり左右の縁部３ａ，３ｃのみに設ける等、ラベル３３の形状や枚数を適宜変更することができる。
【符号の説明】
【００３４】
１        ラベルシート                １Ａ      ラベルシート
１Ｂ      ラベルシート                ２        剥離シート
３        ラベル形成シート            ３Ａ      ラベル形成シート
３Ｂ      ラベル形成シート            ３ａ〜３ｄ  縁部
３１Ａ１  直線部                      ３１Ａ２  曲線部
３１Ａ３  接続部                      ３３，３３Ａ  ラベル
３３ａ〜３３ｄ  外縁                  ３３Ａ１  角部
３４      余白部                      ３５      内側余白部
３０１    粘着層                      ３３１    角部
３１（３１ａ，３１ｂ）        第一切込スリット
３１Ａ（３１Ａａ，３１Ａｂ）  第一切込スリット
３２（３２ａ，３２ｂ）        第二切込スリット
３２Ａ（３２Ａａ，３２Ａｂ）  第二切込スリット
３２Ｂ（３２Ｂａ，３２Ｂｂ）  第二切込スリット
【図１】
2020095204.tif 000003
【図２】
2020095204.tif 000004
【図３】
2020095204.tif 000005
【図４】
2020095204.tif 000006